(57)【要約】      （修正有）【課題】自然の力を利用し防災しながらエネルギーを得る。【解決手段】赤道直下周辺の許容地域帯洋上に両面太陽光発電パネルを配した板２を多数配備する。各々一枚一枚が、水平垂直に上面１８０度の範囲を洋上の自然風で最強風時水平に無風時垂直に振り子の運動ができるように一端の両端に回転軸、その中央に腕その先に両面太陽光発電パネル板よりやや重い丸錘を配する。太陽が真上で無風の時以外は、両面太陽光発電パネルの板が海面に日陰を作り水蒸気蒸発を緩和調整し、異常気象による大災害をもたらす膨大なエネルギーの発生巨大化の源である過剰水蒸気蒸発を制御できる。太陽光発電パネルの板は強制的に制御可能な状態に設置する。これらを配備設置する本体躯体８は定置固定式、フロート移動式を地域環境に応じて設定し、洋上に太陽光発電、下方の海面に、打ち寄せる波を集波して圧縮空気を発生させ羽根風車を回転させて発電する波打ち発電装置を設置する。【選択図】図１
2014095372.tif 000002
【特許請求の範囲】
【請求項１】
太陽光発電パネルを両面に配した板の片方一端の両端に回転軸中央に腕、腕の先端に板部分よりやや重い丸錘を配し、軸を中心に錘側がやや重く、洋上の自然風で振り子のように、上部１８０度の間を開閉運動できるバランスの板を洋上に並べて配備、下方の海面に、波打ち集波ラッパ管で発電できる設備を並べて配備できる本体躯体設備を赤道周辺の洋上許容地域帯に設置して、太陽光と波で発電しながら洋上の自然風で太陽光発電パネル板の角度を変え、真上に太陽無風の時以外、常に海面に日陰をつくり洋上の過剰な水蒸気蒸発を緩和調整することによって、竜巻・暴風雨・大雪・大洪水・台風・ハリケーンなど異常気象の発生膨大化を緩和調整しその災害の減災をするまさに、防災しながら電気エネルギーを生産する画期的な発明である。太陽光発電パネル板は強制制御でき、本体躯体も固定定置式、フロート移動式によりその効果利用価値があり、メンテナンス維持も容易で環境地域にも充分に対応できる構造である。
【発明の詳細な説明】
【発明の詳細な説明】
【００１】現象による不可欠な問題
地球上南北極点地帯の氷雪解けが進み、特に赤道周辺での水蒸気蒸発が過剰になり大雨、大雪、大洪水、竜巻、台風、ハリケーンの膨大化が進み地球上のすべての地域に想像を絶する大災害が波及して、人間社会・文化・産業・生命までも脅かされる現象が現実となっている。
【００２】従来の方法及びその実例と結果
沿岸に防潮防波堤を設け建物を補強し、風雨に強い部材を用い、排水設備を備え文明の利器衛星を配し、低気圧気候の実態は充分に把握できているにも拘わらず想像を絶する暴風雨、押し寄せる高波、大洪水と壊滅的災害を被っているのが現実である。
【００３】当発明のシステムと従来の方法の欠点の解決方法
地球上の赤道直下周辺の許容洋上に、両面太陽光発電パネルの板を自然風の力で、自動的に水平になり垂直になり開閉できるように多数設置し、海面の過剰な水蒸気蒸発を緩和調整し気象災害エネルギーの根源を柔らげ、竜巻・暴風雨・大洪水・台風・ハリケーンの発生膨大化を緩和する方法である。この種の災害の根源である水蒸気蒸発の過剰を緩和して減災する手立て方策が無いまま、ひたすらその膨大なエネルギーをまともに受けそれから逃避難に終始しているのが実情である。当該発明は、その膨大なエネルギー発生の根源である水蒸気の最大蒸発地帯の蒸発を電気を発電しながら緩和調整することにより、異常気象から発生する災害を自然の力を利用して減災する画期的な手段である。
【００４】産業上の利用分野とその効果
洋上における太陽光発電と波打ち発電により豊富な電力を送電できるとともに、洋上に電源ターミナルも可能となり、将来は電力で海上輸送も夢でなくなり、同時に竜巻・暴風雨・大洪水・台風・ハリケーンの発生膨大化を緩和できるので地球上のあらゆる産業・社会への貢献効果は計り知れない、防災エネルギーの誕生です。
【図面の簡単な説明】
【００５】
【図１】洋上に両面が太陽光発電パネルの板を配備、海面に波打ち発電集波口を配備した本体躯体を、洋上に設置した実施例姿図
【図２】両面太陽光発電パネル板の構造図
【図３】両面太陽光発電パネル板の開閉振り子運動できる方法の取り付け図
【図４】本体躯体に配備した両面太陽光発電パネル板、やや強い洋上自然風、太陽光入射角、海面にできる日陰の関係図
【図５】本体躯体に配備した両面太陽光発電パネル板、強い洋上自然風、太陽光入射角、海面にできる日陰の関係図
【図６】波打ち発電の構造図
【図７】波打ち発電の集波ラッパ管形状図
【図８】波打ち発電の集波ラッパ管配置実施例図
【図９】波打ち発電の集波ラッパ管、送風通気管、噴出口ノズル、羽根風車ローター、発電機の配備実施例関係図
【図１０】赤道周辺洋上で最も水蒸気蒸発を緩和調整すべきと思われる地帯図
【発明を実施するための形態】
【００６】以下、本発明の実施の形態を図１から図１０に基づいて説明する。
【００７】図１本体実施例全容図で示すように、海面水蒸気蒸発が最も盛んな赤道直下周辺の許容地帯の洋上に、図２で示すように表裏両面に太陽光発電パネルを配した板が洋上の自然風で自動的に振り子のように開閉運動ができるように取り付け、下方の海面に潮位の干満上下範囲に、図８で示すように波打ち集波ラッパ管を重ねたものを横方向に並列配備しラッパ管奥で発生する圧縮空気で羽根風車を回転させその回転力で発電する構造に設置する。適材適所、規模形状、定置固定、フロート移動式など設置配備方法を設定できる仕組みである。
【００８】図３で示すように両面に太陽光発電パネルを配した板の片方両端に回転軸を、中央部パネル反対方向に腕、腕の先にパネル板よりやや重い丸錘を設け、洋上の自然風でパネル板が振り子のように上面１８０度の間を開閉運動できるように本体躯体の軸受けに取り付け、図４で示すように強風時水平に、風が弱くなるにつれて立ち無風状態で垂直に、風向きが反対方向でも同じように反対方向に倒れ、発電をしながら洋上風を利用して海面に日陰をつくり、水蒸気蒸発を緩和調整することで異常気象の災害の発生巨大化を緩和抑制できる。開閉運動は強制的にも可能な構造にしておき塩害防止の部材形状により全体をコントロールできメンテナンスも容易な構造である。
【００９】図６で示すように、海面に打ち寄せる波を集波ラッパ管に集波して、波自体が奥に押し寄せた時に発生する圧縮空気を、噴射ノズルに送り羽根風車を回転させ発電する仕組みを干満の潮位幅上下に配備、横並びに設置する。洋上で太陽光発電、海面で波打ち発電をしながら異常気象災害の緩和調整ができる。
【符号の説明】
【０１０】１    洋上に、振り子開閉運動ができる両面太陽光発電パネルの板と波打ち発電用集波ラッパ管及び発電設備を設置した実施例躯体本体の全容姿図
２    太陽光発電パネルを表裏両面に配した板
３    両面太陽光発電パネルの板が洋上の自然風で振り子開閉運動ができるバランスの丸錘と腕
４    太陽光発電パネル
５    太陽光発電送電線
６    両面太陽光発電パネルの板が振り子開閉運動するための回転軸
７    両面太陽光発電パネルの板の回転軸軸受け
８    両面太陽光発電パネルの板、波打ち発電の装置を洋上、海面に設置するための躯体本体
９    やや強い洋上風
１０  強い洋上風
１１  太陽光の入射角
１２  両面太陽光発電パネルの板でできた日陰部分
１３  発電用波打ち集波ラッパ管
１４  集波ラッパ管奥で発生した圧縮空気を噴射ノズルへ送り込む通気管
１５  羽根風車ローターを回すための噴射口ノズル
１６  羽根風車ローター
１７  発電機
１８  波打ち発電送電線
１９  海面波
２０  赤道
２１  北回帰線
２２  南回帰線
２３  通常の洋上水蒸気蒸発が盛んな赤道周辺地域帯
【図１】
2014095372.tif 000003
【図２】
2014095372.tif 000004
【図３】
2014095372.tif 000005
【図４】
2014095372.tif 000006
【図５】
2014095372.tif 000007
【図６】
2014095372.tif 000008
【図７】
2014095372.tif 000009
【図８】
2014095372.tif 000010
【図９】
2014095372.tif 000011
【図１０】
2014095372.tif 000012